【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
液体を送達するカテーテルであって、以下のものを含むカテーテル：
縦方向に延在する中心軸及び液体注入内腔を有する、カテーテル本体；
標的脈管の管腔表面を目指して外側に拡張することに適合している、少なくとも二つのガイドチューブ；
該カテーテル本体の該液体注入内腔と流体連通している注入内腔をそれぞれ有し、外側に前進させられ、該少なくとも二つのガイドチューブによって誘導されて該標的脈管の該管腔表面に貫入するのに適合しており、該標的脈管の該管腔表面の外側の組織内に液体を送達するように適合している遠位開口部をそれぞれ有する、遠位注入針を有する少なくとも二つの注入チューブ；並びに
ａ）機械的支持構造が該少なくとも二つのガイドチューブの各ガイドチューブを半径方向に支持するように適合された、半径方向、及びｂ）該機械的支持構造が該少なくとも二つのガイドチューブの各ガイドチューブを横方向に支持するように適合された、横方向からなる群から選択される方向において該少なくとも二つのガイドチューブに対する支持を提供するのに適合している、機械的支持構造。
【請求項２】
前記機械的支持構造が前記縦方向に移動可能な閉塞具を含む、請求項１に記載のカテーテル。
【請求項３】
前記機械的支持構造が、管腔内中央配列機構を含む、請求項１に記載のカテーテル。
【請求項４】
前記カテーテルが、少なくとも三つのガイドチューブ及び遠位注入針を有する少なくとも三つの注入チューブをさらに含み、各注入針は鋭利な遠位端を有する、請求項１に記載のカテーテル。
【請求項５】
前記少なくとも二つのガイドチューブが第一の曲率半径を有する湾曲した遠位部を有し、前記遠位注入針を有する少なくとも二つの注入チューブが第二の曲率半径を有する湾曲した遠位部を有し、該第一の曲率半径と該第二の曲率半径が互いの差２５％以内に事前にセットされている、請求項１に記載のカテーテル。
【請求項６】
固定された遠位ガイドワイヤーをさらに含む、請求項１に記載のカテーテル。
【請求項７】
前記カテーテルの注入流路の近位部から遠位端までの総内容積又は死腔が０．３ｍｌ未満である、請求項１に記載のカテーテル。
【請求項８】
ａ）前記遠位注入針を有する少なくとも二つの注入チューブ、ｂ）前記少なくとも二つのガイドチューブ、ｃ）前記機械的支持構造、及びｄ）前記カテーテル本体からなる群から選択される一つ又は複数の構造の一部に操作可能に接続された、放射線不透過性マーカーをさらに含む、請求項１に記載のカテーテル。
【請求項９】
前記カテーテルの近位端近傍に位置し、前記カテーテル本体の前記液体注入内腔と流体連通している、単一の液体注入ポートをさらに含む、請求項１に記載のカテーテル。
【請求項１０】
前記遠位注入針を有する少なくとも二つの注入チューブの遠位端は、拡張状態と完全閉鎖状態との間で移動可能であり、該完全閉鎖状態は、前記少なくとも二つのガイドチューブ内に後退した該遠位端及び前記カテーテル本体内に後退した前記少なくとも二つのガイドチューブを有し、前記遠位注入針を有する少なくとも二つの注入チューブの該遠位端による針刺しによる損傷を回避できる、請求項１に記載のカテーテル。
【請求項１１】
前記機械的支持構造が前記カテーテル本体の遠位部内に位置する中心支え部である、請求項１に記載のカテーテル。
【請求項１２】
三つのガイドチューブ、三つの注入針、及び三つの注入チューブを含み、各注入チューブの遠位端は該注入針の一つに連結されている、請求項１に記載のカテーテル。
【請求項１３】
前記カテーテル本体の遠位部内に位置し、前記少なくとも二つのガイドチューブのうちの一つを通して前進させられるように適合している遠位開口部を有する、中空軸をさらに含む、請求項１に記載のカテーテル。
【請求項１４】
前記カテーテルは、拡張位置から閉鎖位置へと変形可能であり、前記遠位注入針を有する少なくとも二つの注入チューブの遠位端は前記少なくとも二つのガイドチューブ内に後退され、前記少なくとも二つのガイドチューブは前記中空軸内に後退され、該閉鎖位置は、前記遠位注入針を有する少なくとも二つの注入チューブの該遠位端による針刺しによる損傷を防止するように適合される、請求項１３に記載のカテーテル。
【請求項１５】
前記機械的支持構造が、縦方向に移動可能な機構に連結されている、請求項１に記載のカテーテル。
【請求項１６】
前記縦方向に移動可能な機構は閉塞具である、請求項１に記載のカテーテル。
【請求項１７】
前記少なくとも二つのガイドチューブの移動及び外側への拡張の制御に適合している、制御機構をさらに含む、請求項１に記載のカテーテル。
【請求項１８】
前記カテーテルの近位端近傍に位置する注入ポートをさらに含み、該液体注入ポートは、前記カテーテルのハンドル上の他のいかなる接続具とも異なる特製のコネクターを有する、請求項１に記載のカテーテル。
【請求項１９】
前記特製のコネクターと噛み合うように適合された遠位端を有する特製の注射器をさらに含む、請求項１８に記載のカテーテル。
【請求項２０】
前記機械的支持構造が、前記拡張したガイドチューブと前記中心軸との間にある、請求項１に記載のカテーテル。
【請求項２１】
前記機械的支持構造が前記カテーテル本体の遠位部内に位置する中心支え部である、請求項１に記載のカテーテル。
【請求項２２】
前記中心支え部がたわみ曲面を含む、請求項１に記載のカテーテル。
【請求項２３】
機械的支持構造は、少なくとも二つのたわみ曲面をさらに含む、請求項１に記載のカテーテル。
【請求項２４】
前記少なくとも二つのたわみ曲面は周辺部周りが半径方向に離間されている、請求項２３に記載のカテーテル。
【請求項２５】
前記少なくとも二つのたわみ曲面の第一のたわみ曲面は、前記標的脈管の前記管腔表面に向かって前記少なくとも二つのガイドチューブの第一のガイドチューブを曲げるように構成される、請求項２３に記載のカテーテル。
【請求項２６】
請求項１に記載のカテーテルであって、前記カテーテルの近位端近傍に位置し、複数の接続具を含む、ハンドルをさらに含む、請求項１に記載のカテーテル。
【請求項２７】
液体注入ポートは、前記カテーテルの近位端近傍に位置し、前記カテーテルの前記ハンドル上の他のいかなる接続具とも異なる特製のコネクターを含み、他のいかなる接続具への焼灼液の偶発的な注入の可能性も低減するように構成され、前記カテーテルの前記液体注入内腔と流体連通している、請求項２６に記載のカテーテル。
【請求項２８】
前記カテーテルは、前記標的脈管内での前記カテーテルの中央配置を提供する、少なくとも三つのガイドチューブを含む、請求項１に記載のカテーテル。
【請求項２９】
前記少なくとも三つのガイドチューブの遠位端は、前記少なくとも三つのガイドチューブが前記標的脈管の内表面に接触したときに前記カテーテルの他のいかなる部分も該内表面に接触しないように、該内表面との唯一の係合点であるように構成される、請求項２８に記載のカテーテル。
【請求項３０】
前記少なくとも三つのガイドチューブが前記内表面と接触しているときに、血液が前記カテーテルの外側周りを流れることができるように、前記カテーテルは前記標的脈管の内表面の内径よりも小さい外径を有する、請求項２８に記載のカテーテル。
【請求項３１】
前記少なくとも二つの注入チューブ及び前記少なくとも二つのガイドチューブが前記標的脈管の内壁と接触しているときに、血液が、前記中心軸と平行である、前記カテーテル本体に沿って二つのガイドチューブの間の空間を通る直線経路に沿って前記標的脈管を通って流れることができる、請求項１に記載のカテーテル。
【請求項３２】
前記カテーテルは、前記少なくとも二つの注入チューブ及び前記少なくとも二つのガイドチューブが前記標的脈管の内壁と接触しているときに、第一の位置で前記標的脈管の断面積の５０％未満を覆うようにサイズ決め及び構成され、前記標的脈管は該第一の位置において約３０ｍｍ２から約３００ｍｍ２の断面積を有する、請求項１に記載のカテーテル。
【請求項３３】
前記少なくとも二つのガイドチューブは自己拡張型である、請求項１に記載のカテーテル。